(57)【要約】【課題】見本展示部に照明灯を具備する自動販売機の上部に設置され、該照明灯の光を利用して効果的な広告表示を可能とするための自動販売機用表示体を提供する。【解決手段】透明なプラスチックからなる平面状の透明基材１１から形成された筒状体１２を備え、該筒状体１２の一側面は見本展示部２に照明灯４を具備する自動販売機１の上部に対する設置面１３とされ、設置面１３の上部には反射材１４が設けられるとともに設置面１３の下部は自動販売機１の照明灯４の光Ｌを筒状体１２内に入光させるための入光部１５とされ、筒状体１２の前記設置面１３を除く側面である表示面１７は、設置面１３の反射材１４と略対向する位置に、文字、記号、図案のうちの少なくとも一つを構成している透明表示部１８を有するとともに、該表示面１７の透明表示部１８以外の部分に印刷層１９が設けられてなる自動販売機用表示体１０。【選択図】図１
0003127261.tif 000002
【実用新案登録請求の範囲】
【請求項１】
透明なプラスチックからなる平面状の透明基材から筒状に形成された筒状体を備え、該筒状体の一側面は見本展示部に照明灯を具備する自動販売機の上部に対する設置面とされ、前記設置面の上部には反射材が設けられるとともに前記設置面の下部は自動販売機の照明灯の光を前記筒状体内に入光させるための入光部とされており、前記筒状体の前記設置面を除く側面である表示面は、前記設置面の反射材と略対向する位置に、文字、記号、図案のうちの少なくとも一つを構成している透明表示部を有するとともに、該表示面の前記透明表示部以外の部分に印刷層が設けられてなることを特徴とする自動販売機用表示体。
【請求項２】
前記印刷層が白色の光拡散層を裏地とする請求項１に記載の自動販売機用表示体。
【請求項３】
前記設置面の前記反射材が設けられる部分の上部には、表示面側に向けて筒状体の内側に折り曲げられた延長片が設けられ、該延長片には設置面から連続して反射材が設けられている請求項１または２に記載の自動販売機用表示体。
【請求項４】
前記反射材がホログラムからなる請求項１ないし３のいずれかに記載の自動販売機用表示体。
【考案の詳細な説明】
【技術分野】
【０００１】
本考案は、見本展示部に照明灯を具備する自動販売機の上部に設置され、該照明灯の光を利用して効果的な広告表示を可能とするための自動販売機用表示体に関する。
【背景技術】
【０００２】
従来、飲料や軽食類等の自動販売機としては、商品見本を展示する見本展示部の内部に照明灯が設けられたものが多く用いられており、商品見本が明るく照らし出されるようになっている。この種の自動販売機では、見本展示部の周囲にも広告宣伝等を目的として、看板や粘着ラベル・シートなど、種々の表示物が設置されることが多い。しかしながら、見本展示部に設置された照明灯の光の向きや明るさは商品見本を照明する目的で調整されているため、見本展示部の周囲に設置した表示物を照らし出すには不十分であった。このため、夜間や雨天などの十分な日照が得られない時には、表示物の視認性が低下して、その表示の効果が低下するという問題があった。
【０００３】
特許文献１には、自動販売機に設置する商品見本に取り付ける表示シートおよび表示シートカバーが記載されている。商品見本に取り付ける表示シートであれば、見本展示部に設置された照明灯によって明るく照らすことは容易である。しかし、見本展示部の外側に設置する場合には不適当である。
特許文献２には、高いアイキャッチ効果を期待して、外側に向けて凸状に湾曲した湾曲面に広告を印刷した広告用具が記載されている。しかし、このように立体的な構成とした広告用具を自動販売機に設置した場合、広告印刷部は広告用具自身の影によって暗くなってしまい、見本展示部の照明灯で照らし出すには不都合であった。
特許文献３には、ホログラムによる視覚的効果を意図して、ホログラムシートの少なくとも一方の表面に表示内容が印刷された透明素材のフィルムを重ね合わせ、ラミネートフィルムで一体化した装飾プレートが記載されている。しかし、ホログラムシートは金属蒸着層等を有するものであり、光の透過性に乏しいため、プレートの表側からの照明が期待できない場合には意図した視覚的効果が得られないという問題があった。
特許文献４には、組み立て用シートの内部にホログラムを上向きに設置し、ホログラムの上方に入光用窓を設けるとともに、組み立て用シートの前面にホログラムをのぞき見るためののぞき窓を設けたポップアップ式見開き体が記載されている。しかし、この見開き体は、封書等の郵送媒体や絵本等においてホログラムによる視覚的効果を狙ったものであり、のぞき窓はホログラムをのぞき見るためのものに過ぎない。このため、照明が不十分な場合には、ホログラムへの光量が不十分となり、意図した視覚的効果が得られないという問題があった。
【特許文献１】特開２００５−１１２８８号公報
【特許文献２】特開２００４−７７６３１号公報
【特許文献３】実用新案登録第３１１７３２０号公報
【特許文献４】特開２００５−２８８９２６号公報
【考案の開示】
【考案が解決しようとする課題】
【０００４】
本考案は、上記事情に鑑みてなされたものであり、見本展示部に照明灯を具備する自動販売機の上部に設置され、該照明灯の光を利用して効果的な広告表示を可能とするための自動販売機用表示体を提供することを課題とする。
【課題を解決するための手段】
【０００５】
本考案の自動販売機用表示体は、透明なプラスチックからなる平面状の透明基材から筒状に形成された筒状体を備え、該筒状体の一側面は見本展示部に照明灯を具備する自動販売機の上部に対する設置面とされ、前記設置面の上部には反射材が設けられるとともに前記設置面の下部は自動販売機の照明灯の光を前記筒状体内に入光させるための入光部とされており、前記筒状体の前記設置面を除く側面である表示面は、前記設置面の反射材と略対向する位置に、文字、記号、図案のうちの少なくとも一つを構成している透明表示部を有するとともに、該表示面の前記透明表示部以外の部分に印刷層が設けられてなることを特徴とする。
【考案の効果】
【０００６】
本考案の自動販売機用表示体によれば、設置面の下部に設けられた入光部から筒状部内に入光させた照明光を、表示面に設けた印刷層に当てて拡散・反射した光を反射材で再度反射させ、透明表示部を通じて表示面側から反射材の反射光を視認することが可能になる。これにより、自動販売機用表示体の上部には、明るい透明表示部と暗い印刷層とによる明暗のコントラストが生じるので、反射材で反射される光量が少ない場合でも、透明表示部の文字、記号、図案のうちの少なくとも１つからなる表示を効果的に目視することができる。
また、自動販売機用表示体の下部では、光が印刷層を透過することにより、表示面に印刷された表示を目視することができる。
以上の構成によって、夜間や雨天時などにおいても優れた視覚的効果を有する広告表示を自動販売機の上部に設けることが可能となり、注目度の向上、販売促進を図ることができる。
【考案を実施するための最良の形態】
【０００７】
以下、最良の形態に基づき、図面を参照して本考案を説明する。
図１は、本考案の自動販売機用表示体およびその設置状態の一例を示す図であり、図１（ａ）は斜視図、図１（ｂ）はＡ−Ａ線に沿う断面図である。また、図２は、図１に示す自動販売機用表示体の展開状態を示す平面図である。図３（ａ）、（ｂ）は、本考案の自動販売機用表示体の改変例を示す斜視図である。なお、図３において２点鎖線は延長片１６を設置面１３上に真っ直ぐ延ばした状態を表し、手前に向いた弧状の矢印は、延長片１６を実線に示すように折り曲げて用いることを表す。
【０００８】
図１、図２に示すように、本形態例の自動販売機用表示体１０は、透明なプラスチックからなる平面状の透明基材１１から筒状に形成された筒状体１２を備える。
筒状体１２を構成するための透明基材１１としては、各種透明プラスチックのフィルムまたはシートが挙げられる。具体的には、ポリ塩化ビニル（ＰＶＣ）、ポリカーボネート（ＰＣ）、ポリエチレンテレフタレート（ＰＥＴ）などのポリエステル、ポリスチレン（ＰＳ）、ポリアクリル酸エステルやポリメタクリル酸エステル等のアクリル系樹脂、ポリエチレンやポリプロピレンなどのポリオレフィン等が挙げられる。
プラスチック基材を採用することにより、所望の透明性を確保でき、軽量で折り曲げ加工が容易であり、風雨によく耐える耐久性と、落としても割れない耐衝撃性が得られる。透明基材１１は、透明性の点で無色透明のものが好ましいが、十分な透明性を有する限り、着色された透明としてもよい。
【０００９】
筒状体１２の一側面は、商品見本３が設置される見本展示部２に照明灯４を具備する自動販売機１の上部に自動販売機用表示体１０を設置するとき、自動販売機１に対する設置面１３とされる。また、筒状体１２の設置面１３を除く側面は、広告表示が設けられる表示面１７とされる。本形態例の場合、設置面１３の部分と表示面１７の部分と所定幅の継ぎしろ部２０が一体の基材で構成され、各部の境界線を折り曲げて折り線を形成し、継ぎしろ部２０を設置面１３と貼着することにより筒状体１２が形成されるようになっている。
【００１０】
筒状体１２を筒状に形成する手法としては、接着剤や粘着剤、粘着テープ、熱溶着等が挙げられる。例えば、継ぎしろ部２０にセパレータ（剥離紙）付きの両面粘着テープ２１を貼着しておくと、必要な時にセパレータを剥がして両面粘着テープ２１の粘着面を露出させ、設置面１３の裏側に貼り付けることにより、迅速に筒状体１２を組み立てることができるので好ましい。
【００１１】
本形態例の場合、筒状体１２の表示面１７は、凸状に湾曲した湾曲面とされ、筒状体１２は蒲鉾形（横断面が略半円形の筒状体）となっている。これにより、表示面が折れ目のない一体的な表示となり、自動販売機１の前面に正対した位置からだけでなく、斜めや側方からでも表示体１０への注意を引くことができる。
なお、筒状体１２は、図３に示す自動販売機用表示体１０Ａ，１０Ｂのように角筒状であってもよい。図３（ａ）は筒状体の横断面形状が略長方形のものを示し、図３（ｂ）は筒状体の横断面形状が略台形のものを示す。これら図３に示す例のように、筒状体１２が四角筒状であり、表示面１７が、設置面１３に対向する面である対向表示面１７ａとその両側の面である側方表示面１７ｂからなる場合、透明表示部１８（詳しくは後述する。）は対向表示面１７ａに設けることが好ましく、これによって、設置面１３の反射材１４と対向する位置に透明表示部１８を設けることができる。
【００１２】
設置面１３の上部には反射材１４が設けられるとともに、設置面１３の下部は、自動販売機１の照明灯４の光Ｌを筒状体１２内に入光させるための入光部１５とされる。
反射材１４は、金属箔や金属蒸着層などを透明基材１１に接着、蒸着、あるいは積層することによって設けることができる。透明基材１１が透明であることから、透明基材１１の厚み方向における反射材１４は特に限定されず、筒状体１２の内面側の層、外面側の層、あるいは中間層のいずれでもよい。好ましくは、筒状体１２の内面側の層として反射材１４を設けると、透明基材１１に反射材１４を設ける加工が容易であり、自動販売機１に設置するとき反射材１４の擦れや傷などを防止でき、好ましい。
【００１３】
反射材１４として、ホログラムを用いる場合、反射材１４による反射光Ｒを目視したときに、位置や角度によって反射画像の形態や色彩が変化し、より効果的である。
なお、本形態例では、設置面１３の反射材１４が設けられる部分の上部には、表示面１７側に向けて筒状体１２の内側に折り曲げられた延長片１６が設けられ、該延長片１６には設置面１３から連続して反射材１４が設けられている。この反射材１４は、表示面１７に設ける透明表示部１８（詳しくは後述する。）を見る人の視線の延長線上に配置されるものである。自動販売機１が例えば高さ１８０〜２００ｃｍ程度のものであると、自動販売機用表示体１０を自動販売機１の上部に設置した場合、該表示体１０に向かう人の目線は、上向きとなる。そこで、筒状体１２の上端部を覆うように延長片１６を設けると、この延長片１６の反射材１４が透明表示部１８（詳しくは後述する。）を見る人の視線の延長線上に配置されるようになり、反射材１４による反射光Ｒに基づく透明表示部１８の表示が一層鮮明に目視される。
【００１４】
ここでは設置面１３の上端１３ａから形成された切り込み１３ｂにより、延長片１６の折り曲げ基端１６ａは、設置面１３の上端１３ａよりも下方とされている。しかし延長片１６の折り曲げ基端１６ａは、設置面１３の上端１３ａと同じ高さとしてもよい。また、設置面１３の上端１３ａから延出する延長片１６を途中の位置で（設置面１３の上端１３ａよりも高い位置で）折り曲げてもよい。これにより、見る人の位置、自動販売機用表示体１０との角度や高低差によらず、反射材１４と後述する透明表示部１８とが重なり合う可能性が高くなり、透明表示部１８による表示の効果を高めることができる。
【００１５】
入光部１５は、透明基材１１に他の層を積層することなく無地とすることで、透明性を確保することができる。なお、透明基材１１の透明性を損ねない程度に入光部１５にコーティング等を設けることは差し支えない。反射材１４と入光部１５との面積比は、例えば設置面１３における高さ（筒状体１２の長手方向に沿う長さ）の比として、例えば４０％：６０％から２０％：８０％程度とすることができる。
【００１６】
表示面１７においては、設置面１３の反射材１４と略対向する位置に、文字、記号、図案のうちの少なくとも一つを構成している透明表示部１８を有するとともに、該表示面１７の前記透明表示部１８以外の部分に、白色の光拡散層を裏地とする印刷層１９が設けられる。該印刷層１９を透明基材１１の筒状体１２の内面側に設けるときには、透明基材１１上に有色印刷層を形成したのち、その上に白色の光拡散層を形成する。これにより、自動販売機用表示体１０を前面側から見たときは、有色印刷層の裏側に白色の光拡散層が位置し、有色印刷層のコントラストが向上する。また、印刷層１９を透明基材１１の外面側に設けてもよいし、有色印刷層を透明基材１１の外面側に設け、光拡散層のみを透明基材の内面側に設けてもよい。
【００１７】
白色の光拡散層は、透明なビヒクルに白色顔料などの白色着色材を配合してなる白色インキを印刷することによって容易に形成することができる。白色着色材としては、酸化チタン、硫酸バリウム、炭酸カルシウム等の無機顔料が挙げられ、なかでも酸化チタンが好ましい。
【００１８】
有色印刷層は、例えばオフセット印刷やシルクスクリーン印刷で所望の表示を印刷することにより形成することが可能である。有色印刷層に用いられる着色剤としては、例えばシアン・マゼンタ・イエロー・ブラック（ＣＭＹＫ）の４色系着色剤、シアン・マゼンタ・イエロー（ＣＭＹ）の３色系着色剤、適当な単色の着色料や顔料などを適宜用いることができる。特に４色系着色剤は所望の色を発色させることができ、表示面１７の意匠性が向上するので好ましい。また、これら印刷法によれば、表示面１７の印刷層１９の部分において、微量の光が透過し、夜間においても自動販売機用表示体１０全体が淡く光るため遠方からも良好に視認が可能となる。さらに、透明表示部１８からの光量と、表示面１７の印刷層１９の部分とからの光量との差異によって、光のグラディエーション効果が発現される。
【００１９】
透明表示部１８は、白色の光拡散層を裏地とする印刷層１９を形成するときに、無印刷部とすることで形成することができる。本考案では、この透明表示部１８において、文字、記号、図案のうちの少なくとも一つにより表示を構成する。これらの表示は、商品名やマークなどを表すものとすることができる。
もしくは、表示面１７の全面に印刷層１９を設けた後、透明表示部１８の部分で透明基材１１ごと打ち抜いた穴によっても透明表示部１８を形成することができる。しかし、透明基材１１の無印刷部として透明表示部１８を構成する場合には、透明表示部１８で囲まれた部分にも印刷層１９を設けることができるので、複雑な文字、記号、図案を表現することができ、好ましい。
【００２０】
本考案の自動販売機用表示体１０を自動販売機１の上部に設置する手法は、特に限定されないが、表示体１０の設置の安定性や、該表示体１０を取り外すときの再剥離性を考慮すると、両面粘着テープ２２による貼着が好ましい。設置時の自動販売機用表示体１０の姿勢は、見本展示部２の照明灯４の光が入光部１５に入光するように、入光部１５が反射材１４の下方に位置するようにする。このとき表示体１０を上下方向に真っ直ぐ立ててもよい。また、図１（ａ）に示すように斜めに傾けて設置して、視覚的な変化を図ることもできる。
【００２１】
図２に示すように、組み立て前の表示体１０において、セパレータ（剥離紙）付きの両面粘着テープ２２を貼着しておくと、必要な時にセパレータを剥がして両面粘着テープ２２の粘着面を露出させることにより、迅速に表示体１０を自動販売機１に貼着して設置が可能となるので好ましい。
両面粘着テープ２２に用いる粘着剤は、アクリル系、ウレタン系など各種粘着剤を適用可能である。両面粘着テープとしては、透明フィルムを支持体としてその両面に透明粘着剤層を形成した両面粘着テープ、あるいはセパレータ上に直接透明粘着剤層を形成した両面粘着テープであれば、セパレータを剥離した状態での透明性が優れ、両面粘着テープ２２が入光部１５に設けられていても照明光の入光量を低下させないので好ましい。照明光の入光量を著しく低下させないのであれば、両面粘着テープが半透明または不透明であっても良いが、その場合は、貼着面積をなるべく小さくすることが好ましい。
【００２２】
本考案の自動販売機用表示体１０では、照明光Ｌが設置面１３の下部に設けられた入光部１５から筒状部１２内に入光して該表示面１７に設けた印刷層１９の裏地の白色光拡散層に当たると、この光を白色光拡散層で拡散・反射させ、さらに反射材１４で再度反射させることができる。これにより、透明表示部１８を通じて表示面１７側から反射材１４による反射光Ｒを視認され、自動販売機用表示体１０の上部には、明るい透明表示部１８と暗い印刷層１９とによる明暗のコントラストが生じることになる。その結果、反射材１４で反射される光量が少ない場合でも、自動販売機用表示体１０を見る人が透明表示部１８による表示を効果的に目視することができる。また、筒状部１２の下端部が開口されている構成においては、当該下端部の開口部からも入光するため、より効果的に光が入光する。
また、自動販売機用表示体１０の下部では、白色光拡散層で拡散した光が印刷層を透過することにより、表示体１０をその前面から見ると、表示面１７が淡く光って見え、表示面１７に印刷された表示を目視することができる。
また、本考案の構成によれば、透明表示部１８と距離を隔てた背面に反射材１４を設けているため、透明表示部の文字、記号、図案等が奥行きのある表示にも見えることから、優れたアイキャッチ効果を有する。
以上の構成によって、アイキャッチ効果に優れ、夜間や雨天時などにおいても優れた視覚的効果を有する広告表示を実現でき、注目度の向上、販売促進を図ることができる。
【００２３】
設置面１３の反射材１４が設けられる部分の上部に、表示面１７側に向けて筒状体１２の内側に折り曲げられた延長片１６を設ける場合、自動販売機用表示体１０を見る人の目の高さが自動販売機用表示体１０の位置よりも低く、透明表示部１８を通る視線が筒状体１２の上端に抜けるような位置であっても、筒状体１２の上端を塞ぐように反射材を有する延長片１６を設けておくことにより、視線上で透明表示部１８と反射材１４が重なり合う状態を作り出すことができる。これにより、自動販売機用表示体１０を下から見上げるときの仰角が大きい場合にも、自動販売機用表示体１０を見る人が透明表示部１８による表示を効果的に目視することができる。
【００２４】
反射材１４がホログラムからなる場合、反射材１４による反射画像の形態や色彩が見る人の目の位置や角度の変化によって変化し、透明表示部１８の輪郭をより効果的に把握することができる。これにより、夜間や雨天時などの光量不足の状況においても、見る人が透明表示部１８の表示内容を一層明確に認識することができ、広告表示の印象をより強くすることができる。
【産業上の利用可能性】
【００２５】
本考案は、自動販売機に設置する広告表示に利用することができる。
【図面の簡単な説明】
【００２６】
【図１】本考案の自動販売機用表示体およびその設置状態の一例を示す図であり、（ａ）は斜視図、（ｂ）はＡ−Ａ線に沿う断面図である。
【図２】図１の自動販売機用表示体の展開状態を示す平面図である。
【図３】（ａ）、（ｂ）は、本考案の自動販売機用表示体の改変例を示す斜視図である。
【符号の説明】
【００２７】
１…自動販売機、２…見本展示部、３…商品見本、４…照明灯、１０，１０Ａ，１０Ｂ…自動販売機用表示体、１１…透明基材、１２…筒状体、１３…設置面、１４…反射材、１５…入光部、１６…延長片、１７…表示面、１８…透明表示部、１９…白色の光拡散層を裏地とする印刷層、２０…継ぎしろ部、２１…筒状体形成用粘着テープ、２２…設置用粘着テープ。
【図１】
0003127261.tif 000003
【図２】
0003127261.tif 000004
【図３】
0003127261.tif 000005
【手続補正書】
【提出日】平成18年6月28日(2006.6.28)
【手続補正１】
【補正対象書類名】図面
【補正対象項目名】全図
【補正方法】変更
【補正の内容】
【図１】
0003127261.tif 000006
【図２】
0003127261.tif 000007
【図３】
0003127261.tif 000008